(57)【要約】【課題】犬の散歩コースの周辺住民にとって糞尿被害は非常にナーバスな問題である。糞に対しては飼い主も対応してきたが尿に対しては放置するか水で薄め広げてしまっていた。尿にも対応した物があるが構造がシンプルとは言えず、糞尿の受け部が開閉式で操作を要し、受け部にレジ袋を装着する等の手間があった。また受け損ねた尿や側面への放尿には対応しなかった。  本発明は形状や受け部の構造がシンプルであり、受け損ねた尿や側面への放尿にも対応した犬の糞尿処理具を提供する。【解決手段】柄の先端に楕円形の平面受け皿を設けたスプーン型で、受け皿と柄との間に前後左右に屈曲可能な接続部を設け、袋状に加工された吸水シートを受け皿に被せて使用することを特徴とする犬の糞尿処理具。【選択図】図１
2012235763.tif 000002
【特許請求の範囲】
【請求項１】
柄の先端に受け皿を設け、柄と受け皿の間に前後左右に屈曲可能な接続部を設け、受け皿に袋状の吸水シートを被覆させた犬の糞尿処理具。
【発明の詳細な説明】
【技術分野】
【０００１】  本発明は、ペットの散歩時における糞尿を処理することのできる、犬の糞尿処理具に関するものである。
【背景技術】
【０００２】  従来、犬の散歩時の排泄物を処理する為に飼い主が携帯するものとして、糞とり具や、糞処理袋など糞に対応したものが多く考えられている。
しかし尿にまで対応した物は少なかった。【０００３】  糞と尿、両方に対応したものでは、柄の先端にガマ口形の受け部を設けレジ袋を装着しフットペダル等を操作して使用するもの（特許文献１参照）や、受け部に車輪を設けたもの（特許文献２参照）、レバーによって可動アームを操作し、受け部を開閉させるもの（特許文献３参照）、金属リングに帯状ゴムでレジ袋などを固定させて使用するもの（特許文献４参照）等がある。
【先行技術文献】
【０００４】
【特許文献１】特開２００５−２２９９８９号公報
【特許文献２】特開２００１−１１２３７０号公報
【特許文献３】実開平６−０７０５５３号公報
【特許文献４】登録実用新案第３１３７５０５号公報
【発明の概要】
【発明が解決しようとする課題】
【０００５】  犬の散歩コースの周辺住民にとって糞尿被害は非常にナーバスな問題となっており、玄関前に薬を撒いたり看板を出したりする等、飼い主の心掛けによってはトラブルにもなりかねない状況である。
これまで糞に対しては飼い主も糞処理袋やティッシュで拾い上げるなどの対応をしていたが、尿に対してはそのまま放置するか若しくはペットボトルに入れた水を掛け流す程度であり、周辺住民への配慮を見せることはできるが、水を掛け、薄め広げている印象も否めない。【０００６】  また環境面に、より配慮する意味では、糞や尿が地上に接地する前に受け取ることが望ましいが、市場にある糞取り具は排泄後に地上に残された糞を拾い上げるものであり、尿に関しては対応する製品は市場には見当たらず、使用している飼い主もいないと言える。【０００７】  それでも糞にも尿にも対応でき、それら排泄物を地上に達する前に飼い主が立ったまま受け取ることを目的としたものが幾つか考案されている。
柄の先に受け部を設け、糞や尿を受け取るものであるが、構造がシンプルとは言えず、排泄物を受け取るための受け部を開閉式にすることにより、手元または足元での操作が必要となり、また排泄物の受け部にレジ袋などをリングや枠体に装着する等、手間を要する。
排泄物を受け取る部分が複雑であれば、犬が排便の態勢をとった時、尻の下へ受け部を差し出す際に、特に小型犬の場合には態勢の邪魔をせずに無理なく行うことが難しく、また警戒心を与えてしまい排便を止めてしまう懸念もある。
うまく排泄物を受け取ることが出来たとしても、レジ袋に糞や更に液体である尿を入れたまま散歩を続けることになる。
また地面への排泄である雌犬の尿は受けることが可能であっても、側面へ排泄する雄犬の尿やマーキングを受け取ることは、袋状の受け部では難しく、受け損ねた場合の処理は、レジ袋では不可能である。【０００８】  散歩時に携帯する糞尿処理具は日々使用し持ち歩くものである為、飼い主が抵抗なく使えるよう軽量かつ形状がシンプルであり、受け部への袋等の装着も簡単で余計な操作を要さないものが求められる。
また地面への排尿だけでなく壁や電柱等の側面への排尿さらにマーキングまでも対応したものが望ましい。
本発明は以上の問題点を解決するものである。
【課題を解決するための手段】
【０００９】  形状は、柄の先端に受け皿を設けた平面スプーン形であり、平面の受け皿に袋状の吸水シートを被せる。
柄の手元には保持しやすいグリップを設け、柄の長さは飼い主が立ったまま受け皿を地面に押し付けることのできる程度のものとし、柄と受け皿の間に前後左右９０度に屈曲可能な接続部を設ける。
接続部にはゴムやスプリングを用い、通常時は柄と受け皿を直線に結び、受け皿を地面及び壁面に押し付けた時のみ屈曲し、押し付けを解いた際には元に戻る構造とする。【００１０】  袋状に加工された吸水シートは袋の外側がすべて吸水面であり、受け皿に被せた際には受け皿の表裏にて吸水でき、袋の開口部すなわち受け皿の挿入口は巾着状にギャザー加工され、伸縮によって着脱を容易とする。
以上の構成よりなる犬の糞尿処理具。
【発明の効果】
【００１１】  糞尿を受け取る部分をリングやガマ口にレジ袋を装着させるのではなく、平面的な受け皿に吸水シートを被せる構造にしたことにより、糞は受け皿に載せて対応し尿は受け皿によって吸水して対応できる。【００１２】  リング等にレジ袋を装着する際の手間が無く、巾着型の挿入口を持つ袋状に加工された吸水シートに平面受け皿を差し込むだけの簡単な構造であり、ストレスなく使用できる。【００１３】  レジ袋などを受け部の縁に掛けた、ぶら下がり状態ではなく、吸水シートが受け皿を覆った状態の平面である為、雌犬の地面への放尿だけでなく、マーキングや雄犬の側面への放尿も受け皿をあてがうことによって受け止めることができる。【００１４】  また、受け損ねたとしても受け皿の表裏にて吸水できるため、地面や壁面に放たれた尿を吸水シートに覆われた受け皿を押し当てることによって吸い取り、或いは拭き取ることで、水を掛け流して薄め広げるよりも環境へより配慮できる。【００１５】  形状がシンプルであり、飼い主が手間を要さず持ち歩くことができ、余計な操作を必要とせず、シートの付け替えも簡単でありストレスなく使用できる。
さらに軽量且つスタイリッシュなスティック状のデザインにより、老若男女が抵抗なく持ち歩くことができる。【００１６】  この糞尿処理具を携行して犬の散歩をすることで、飼い主が糞尿への対応の誠意と、散歩コース周辺の住民への配慮を示すことによって、トラブルを未然に防ぐ効果も期待できる。
【図面の簡単な説明】
【００１７】
【図１】本発明の本体のみの斜視図
【図２】本発明の本体のみの側面から見た図
【図３】本発明の本体受け皿部の左右９０度に屈曲させた状態の図
【図４】本発明の本体受け皿部の前後９０度に屈曲させた状態の図
【図５】本発明の本体受け皿に装着させる吸水シートの斜視図
【図６】本発明の本体に吸水シートを装着させた斜視図
【図７】本発明の使用状態を示す図
【発明を実施するための形態】
【００１８】  以下、本発明の実施の形態を説明する。
（イ）  およそ７０センチ前後の柄（１）の一端にグリップ（４）を設け対する一端に楕円形の平面受け皿（２）を設ける。
（ロ）  柄（１）と受け皿（２）の間には前後左右に屈曲可能な接続部（３）を設ける。
（ハ）  受け皿（２）を挿入させるため袋状に加工された吸水シート（５）は着脱を容易にすると共にシートの抜け落ちを防ぐため挿入口（６）には伸縮可能なギャザー加工が施されている。
本発明は以上のような構造である。
本発明を使用するときは、受け皿（２）に吸水シート（５）を被せて使用する。犬の散歩の際、吸水シート（５）の挿入口（６）より受け皿（２）を挿入し、使用者はグリップ（４）にてスティックを保持する。
犬が排便の態勢をとったら犬の尻の下に受け皿（２）を差し出す。差し出した受け皿（２）は地面に対して平行に接地されるが屈曲可能な接続部（３）によって柄（１）の角度は自在であり、ある程度の尺を持つ柄（１）によって使用者は座り込む必要が無く、立ったまま便を受け取ることができる。
この際、糞の場合は吸水シート（５）の上に落され、使用者は受け皿（２）から吸水シート（５）を外し、挿入口（６）より手を差し入れ内側から糞を握り袋を反転させて持ち帰る。新たな吸水シート（５）を付け替え散歩を続ける。
尿の場合は差し出した吸水シート（５）が尿を吸い取り、シートの表裏が尿によって満たされるまで連続して使用する。
また、マーキングや雄犬の側面への排尿は、犬が片足を上げ排尿の態勢をとった時、排尿位置に吸水シート（５）を差し出し空中にて若しくは壁面に受け皿（２）をあてがって受け止める。
排尿を受け損ね、路上に排尿させてしまった際には受け皿（２）を上から押し付け、路面に平行に押し当てられた吸水シート（５）にて尿を吸い取る。
また、壁面や電柱に排尿させてしまった際には、受け皿（２）を押し当て吸水シート（５）によって拭き取る。
【符号の説明】
【００１９】１  柄
２  受け皿
３  接続部
４  グリップ
５  吸水シート
６  挿入口
【図１】
2012235763.tif 000003
【図２】
2012235763.tif 000004
【図３】
2012235763.tif 000005
【図４】
2012235763.tif 000006
【図５】
2012235763.tif 000007
【図６】
2012235763.tif 000008
【図７】
2012235763.tif 000009